(57)【特許請求の範囲】
【請求項１】
基体と、媒体を収納する収納空間における所定の規定方向に関する大きさを規定する規定体と、前記基体に前記規定体を取り付ける取付部材とを有する媒体収納装置であって、
前記取付部材は、
前記基体に固定される複数の基体固定部と、
それぞれの前記基体固定部から、互いに異なる取付方向へ、互いに異なる取付間隔ずつ離隔した位置に設けられ、前記規定体に固定される複数の規定体固定部と
を具え、何れかの前記基体固定部及びその取付方向側に設けられた前記規定体固定部が前記基体及び前記規定体にそれぞれ固定される
ことを特徴とする媒体収納装置。
【請求項２】
前記基体は、前記取付部材の前記基体固定部が固定される複数の被固定部を具え、
前記規定体は、前記取付部材の前記規定体固定部が固定される複数の被固定部を具え、
前記基体及び前記規定体の少なくとも一方は、規定方向に関する前記被固定部それぞれの位置が互いに相違する
ことを特徴とする請求項１に記載の媒体収納装置。
【請求項３】
前記基体及び前記規定体の少なくとも一方は、前記被固定部における前記取付部材が固定される固定面と反対の反対面から、当該取付部材の一部を視認させる
ことを特徴とする請求項２に記載の媒体収納装置。
【請求項４】
前記取付部材は、前記被固定部における前記反対面から視認される部分に、前記取付間隔ごとに異なる視覚的特徴を有する
ことを特徴とする請求項３に記載の媒体収納装置。
【請求項５】
前記取付部材の前記基体固定部及び前記規定体固定部の少なくとも一方は、
規定方向に関し前記規定体及び前記基体を近接させる力を受け止める近接受止部と、
規定方向と交差する交差方向への前記取付部材の移動を規制する交差移動規制部と
を具えることを特徴とする請求項１に記載の媒体収納装置。
【請求項６】
前記交差移動規制部は、交差方向へ向けて立設された爪部である
ことを特徴とする請求項５に記載の媒体収納装置。
【請求項７】
前記取付部材の前記基体固定部は、交差方向へ向けて立設された爪部であり、
前記取付部材の前記規定体固定部は、交差方向と反対の反交差方向へ向けて立設された爪部であり、
前記規定体は、前記基体からの規定方向の位置に拘わらず、当該基体に対する反交差方向への移動を規制する移動規制部をさらに具える
ことを特徴とする請求項６に記載の媒体収納装置。
【請求項８】
前記基体に固定される複数の第２基体固定部と、
それぞれの前記第２基体固定部から、互いに異なる取付方向へ、互いに異なる第２取付間隔ずつ離隔した位置に設けられ、前記規定体に固定される複数の第２規定体固定部と
を具え、複数の前記第２取付間隔のうち少なくとも１つは、前記取付部材における何れの前記取付間隔とも相違する第２取付部材
をさらに具えることを特徴とする請求項１に記載の媒体収納装置。
【請求項９】
利用者との間で取引される媒体を搬送する搬送部と、前記搬送部により搬送される前記媒体を収納する媒体収納装置とを有する媒体取引装置であって、
前記媒体収納装置は、基体と、前記媒体を収納する収納空間における所定の規定方向に関する大きさを規定する規定体と、前記基体に前記規定体を取り付ける取付部材とを有し、
前記取付部材は、
前記基体に固定される複数の基体固定部と、
それぞれの前記基体固定部から、互いに異なる取付方向へ、互いに異なる取付間隔ずつ離隔した位置に設けられ、前記規定体に固定される複数の規定体固定部と
を具え、何れかの前記基体固定部及びその取付方向側に設けられた前記規定体固定部が前記基体及び前記規定体にそれぞれ固定される
ことを特徴とする媒体取引装置。
【発明の詳細な説明】
【技術分野】
【０００１】
本発明は媒体収納装置及び媒体取引装置に関し、例えば顧客に紙幣等の媒体を投入させて所望の取引を行う現金自動預払機（ＡＴＭ）に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するものが広く普及している。
【０００３】
現金自動預払機としては、例えば顧客との間で紙幣の授受を行う紙幣入出金口と、投入された紙幣の金種及び真偽を鑑別する鑑別部と、投入された紙幣を一時的に保留する一時保留部と、金種ごとに紙幣を格納する紙幣収納庫とを有するものが提案されている。
【０００４】
この現金自動預払機は、入金取引において、顧客が紙幣入出金口に紙幣を投入すると、投入された紙幣を鑑別部で鑑別し、正常紙幣と鑑別された紙幣を一時保留部へ収納する一方、取引すべきでないと鑑別された紙幣を紙幣入出金口へ戻して顧客に返却する。続いて現金自動預払機は、顧客により入金金額が確定されると、一時保留部に収納している紙幣を繰り出してその金種を鑑別部により再鑑別し、鑑別された金種に応じて各紙幣収納庫へ収納する。
【０００５】
このうち紙幣収納庫としては、例えば内部に紙幣を収納する収納空間や、この収納空間内へ紙幣を放出する放出機構等を有するものがある。この紙幣収納庫は、放出機構から紙幣を放出空間内へ放出し、紙幣の紙面を上下に向けた状態で整然と集積させるようになっている。
【０００６】
ここで紙幣収納庫では、集積空間の大きさ、具体的には前後方向及び左右方向の長さを、紙幣における短辺及び長辺の長さよりも僅かずつ長くすることにより、紙幣の周囲に適切な距離の隙間を形成でき、当該収納空間内に紙幣を整然と集積することが可能となる。しかしながら、一般に紙幣は、発行される国や地域ごとに、さらには金種ごとに、大きさが異なっている。
【０００７】
そこで紙幣収納庫のなかには、紙幣収納庫内に紙幣の集積範囲を規定する規定部品を取り付けるようにし、この取付部品の取付位置を変化させることにより、収納空間の大きさを変化させて、様々な大きさの紙幣に対応し得るものも提案されている（例えば、特許文献１参照）。
【先行技術文献】
【特許文献】
【０００８】
【特許文献１】特開２０１４−９８９９７号公報（第３３図、第３４図）
【発明の概要】
【発明が解決しようとする課題】
【０００９】
ところで、上述した紙幣収納庫では、例えば紙幣収納庫の筐体等に対し、カラと呼ばれる部品を介して取付ねじにより規定部品を取り付けていた。このため紙幣収納庫では、収納空間の大きさを変更する場合、変更したい大きさごとに、専用の長さのカラ及び取付ねじを用意する必要が生じる。
【００１０】
すなわちこの紙幣収納庫では、収納する紙幣の種類を変更する場合、その大きさに応じてカラ及び取付ねじを交換する必要があるため、これらの交換作業に工数を要し、また複数種類のカラ及び取付ねじを用意し、さらには管理する手間も生じる、という問題があった。
【００１１】
本発明は以上の点を考慮してなされたもので、媒体を収納する空間の大きさを容易に且つ高精度に調整し得る媒体収納装置及び媒体取引装置を提案しようとするものである。
【課題を解決するための手段】
【００１２】
かかる課題を解決するため本発明の媒体収納装置においては、基体と、媒体を収納する収納空間における所定の規定方向に関する大きさを規定する規定体と、基体に規定体を取り付ける取付部材とを有する媒体収納装置であって、取付部材に、基体に固定される複数の基体固定部と、それぞれの基体固定部から、互いに異なる取付方向へ、互いに異なる取付間隔ずつ離隔した位置に設けられ、規定体に固定される複数の規定体固定部とを設け、何れかの基体固定部及びその取付方向側に設けられた規定体固定部が基体及び規定体にそれぞれ固定されるようにした。
【００１３】
また本発明の媒体取引装置においては、利用者との間で取引される媒体を搬送する搬送部と、搬送部により搬送される媒体を収納する媒体収納装置とを有する媒体取引装置であって、媒体収納装置は、基体と、媒体を収納する収納空間における所定の規定方向に関する大きさを規定する規定体と、基体に規定体を取り付ける取付部材とを有し、取付部材に、基体に固定される複数の基体固定部と、それぞれの基体固定部から、互いに異なる取付方向へ、互いに異なる取付間隔ずつ離隔した位置に設けられ、規定体に固定される複数の規定体固定部とを設け、何れかの基体固定部及びその取付方向側に設けられた規定体固定部が基体及び規定体にそれぞれ固定されるようにした。
【００１４】
本発明では、取付部材の姿勢を変化させた上で、基体固定部を基体に固定すると共に規定体固定部を規定体に固定することにより、取付部材を交換することなく、基体に対する規定体の規定方向に関する取付位置を調整することができる。
【発明の効果】
【００１５】
本発明によれば、媒体を収納する空間の大きさを容易に且つ高精度に調整し得る媒体収納装置及び媒体取引装置を実現できる。
【図面の簡単な説明】
【００１６】
【図１】現金自動預払機の外観構成を示す略線的斜視図である。
【図２】紙幣入出金機の構成を示す略線図である。
【図３】紙幣収納庫の構成を示す略線図である。
【図４】第１の実施の形態による前扉、フロントガイド及び取付部材の構成を示す略線図である。
【図５】第１の実施の形態による取付部材の構成を示す略線的斜視図である。
【図６】第１の実施の形態による爪部の構成を示す略線的斜視図である。
【図７】第１の実施の形態による前扉固定部及びフロントガイド固定部の構成を示す略線的斜視図である。
【図８】第１の実施の形態による前扉固定部の構成を示す略線的斜視図である。
【図９】第１の実施の形態による前扉に対するフロントガイドの取付位置を示す略線図である。
【図１０】第１の実施の形態による取付部材の姿勢に応じた取付間隔の相違を示す略線図である。
【図１１】第２の実施の形態による第１取付部材及び第２取付部材の構成を示す略線的斜視図である。
【図１２】第２の実施の形態による前扉固定部の構成を示す略線的斜視図である。
【図１３】第２の実施の形態によるフロントガイド固定部の構成を示す略線的斜視図である。
【図１４】第２の実施の形態による前扉に対するフロントガイドの取付位置を示す略線図である。
【図１５】他の実施の形態による爪部及び被固定部の構成を示す略線図である。
【図１６】他の実施の形態による被固定部の構成を示す略線図である。
【図１７】他の実施の形態による爪部の構成を示す略線図である。
【図１８】他の実施の形態による爪部の構成を示す略線図である。
【図１９】他の実施の形態によるフロントガイドの構成を示す略線図である。
【発明を実施するための形態】
【００１７】
以下、発明を実施するための形態（以下実施の形態とする）について、図面を用いて説明する。
【００１８】
［１．第１の実施の形態］
［１−１．現金自動預払機及び紙幣入出金機の構成］
図１に外観を示すように、現金自動預払機１は、箱状の筐体２を中心に構成されており、例えば金融機関等に設置され、利用者（すなわち金融機関の顧客）との間で入金取引や出金取引等の現金に関する取引を行うようになっている。
【００１９】
筐体２は、その前側に顧客が対峙した状態で紙幣の投入やタッチパネルによる操作等をしやすい箇所に顧客応対部３が設けられている。顧客応対部３は、カード入出口４、入出金口５、操作表示部６、テンキー７、及びレシート発行口８が設けられており、顧客との間で現金や通帳等を直接やり取りすると共に、取引に関する情報の通知や操作指示の受付を行うようになっている。
【００２０】
カード入出口４は、キャッシュカード等の各種カードが挿入または排出される部分である。カード入出口４の筐体内側には、各種カードに磁気記録された口座番号等の読み取りを行うカード処理部（図示せず）が設けられている。入出金口５は、開閉可能なシャッタを有しており、顧客により入金する紙幣が投入されると共に、顧客へ出金する紙幣が排出される部分である。
【００２１】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００２２】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２３】
筐体２内には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金処理や出金処理等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２４】
紙幣入出金機１０は、図２に側面図を示すように、内部に媒体としての紙幣に関する種々の処理を行う複数の部分が組み込まれている。この紙幣入出金機１０の上側部分には、全体を統括制御する紙幣制御部１１、顧客との間で紙幣を授受する入出金部１２、紙幣を各部へ搬送する搬送部１３、紙幣を鑑別する鑑別部１４及び紙幣を一時的に収納する一時保留部１５が設けられている。また紙幣入出金機１０の下側部分には、紙幣収納庫１６及びリジェクト庫１７が設けられている。
【００２５】
紙幣制御部１１は、主制御部９と同様、図示しないＣＰＵを中心に構成されており、図示しないＲＯＭやフラッシュメモリ等から所定のプログラムを読み出して実行することにより、各部の動作を制御する処理等、種々の処理を行う。また紙幣制御部１１は、内部にＲＡＭ及びフラッシュメモリ等でなる記憶部を有しており、この記憶部に種々の情報を記憶させる。
【００２６】
入出金部１２は、紙幣入出金機１０の前上部に位置しており、顧客から受け取った紙幣を１枚ずつに分離して搬送部１３に引き渡し、また搬送部１３から搬送されてきた紙幣を集積して顧客に受け取らせる。搬送部１３は、紙幣を案内する搬送ガイドや多数の回転するローラ等が適宜配置されることにより、紙幣を搬送するための搬送路を形成している。この搬送路は、紙幣入出金機１０内の各部を結ぶように形成されている。
【００２７】
鑑別部１４は、紙幣の搬送路に沿って配置されており、内部に組み込まれた複数種類のセンサにより、搬送される紙幣の金種、真偽、正損（損傷しているか否か）等を認識し、その認識結果を紙幣制御部１１へ送出する。一時保留部１５（図２）は、いわゆるテープエスクロ方式を採用しており、円筒状のドラムの周側面に紙幣をテープと共に巻き付けることで当該紙幣を収納し、またこの周側面から当該テープを引き剥がすことで紙幣を繰り出す。
【００２８】
各紙幣収納庫１６は、鑑別部１４及び紙幣制御部１１により損傷の程度が小さく再利用が可能であると判断された紙幣が、その金種に応じて搬送部１３により搬送されてくると、当該紙幣を内部に集積して収納する。また紙幣収納庫１６は、紙幣制御部１１から紙幣を繰り出す指示を受け付けると、集積している紙幣を１枚ずつに分離して繰り出し、搬送部１３に引き渡す（詳しくは後述する）。
【００２９】
リジェクト庫１７は、鑑別部１４及び紙幣制御部１１により損傷の程度が大きく再利用すべきで無いと判断された紙幣（いわゆるリジェクト紙幣）が搬送部１３により搬送されてくると、当該紙幣を内部に収納する。
【００３０】
例えば顧客が現金自動預払機１との間で入金取引を行う場合、紙幣制御部１１は、主制御部９等と連携しながら、操作表示部６を介して所定の操作入力を受け付けた後、入出金口５（図１）のシャッタを開いて入出金部１２内へ紙幣を投入させる。入出金部１２は、紙幣が投入されると、入出金口５のシャッタを閉じてから紙幣を１枚ずつに分離して搬送部１３へ引き渡す。搬送部１３は、受け取った紙幣を搬送すると共に鑑別部１４により鑑別させ、得られた鑑別結果を紙幣制御部１１へ通知する。これに応じて紙幣制御部１１は、各紙幣の搬送先を決定する。
【００３１】
このとき搬送部１３は、鑑別部１４において正常と鑑別された紙幣（いわゆる正券）を一時保留部１５へ搬送して一時的に保留させる一方、取引すべきでないと鑑別された紙幣（いわゆる損券や偽券等）を入出金部１２へ搬送して顧客に返却する。
【００３２】
その後紙幣制御部１１は、操作表示部６（図１）を介して顧客に入金金額を確定させ、一時保留部１５に保留している紙幣を鑑別部１４へ搬送させてその金種及び損傷の程度等を鑑別させ、その鑑別結果を取得する。続いて紙幣制御部１１は、紙幣の損傷の程度が大きければ、これを再利用すべきでないリジェクト紙幣としてリジェクト庫１７へ搬送して収納させ、損傷の程度が小さければ、これを再利用すべき紙幣としてその金種に応じた紙幣収納庫１６へ搬送して収納させる。
【００３３】
一方、例えば顧客が現金自動預払機１との間で出金取引を行う場合、紙幣制御部１１は、主制御部９等と連携しながら、操作表示部６（図１）を介して所定の操作入力を受け付けた後、出金すべき金額に応じた紙幣を紙幣収納庫１６から繰り出させる。続いて紙幣制御部１１は、この紙幣を搬送部１３により鑑別部１４へ搬送して鑑別させた上で入出金部１２へ搬送し、入出金口５（図１）のシャッタを開いてこの紙幣を顧客に取り出させる。
【００３４】
［１−２．紙幣収納庫の構成］
紙幣収納庫１６は、図３に模式的な側面図を示すように、全体として直方体状に構成されており、その内部に媒体としての紙幣を収納する。
【００３５】
この紙幣収納庫１６は、左側、右側、上側、下側及び後側の各側面を形成する筐体２０と、前側の側面である前扉２１とにより構成されている。前扉２１は、筐体２０に対し、図示しない蝶番により開閉可能に取り付けられている。筐体２０内における後寄りには、リバースガイド２２が設けられている。リバースガイド２２は、筐体２０内の空間を前後に仕切っており、その前側に内部空間２０Ｓを形成している。
【００３６】
内部空間２０Ｓ内には、紙幣ＢＬを上面に載置するステージ２３が設けられている。ステージ２３は、板面をほぼ水平に向けた板状に形成されており、図示しないステージ駆動部により駆動される。このステージ駆動部は、ステージ２３を上下方向へ駆動させると共に、当該ステージ２３を所望の高さ（上下方向の位置）において静止させる。また内部空間２０Ｓの上端は、筐体２０の上側板よりもやや下側に設けられた天板２０Ｃにより規定されている。
【００３７】
内部空間２０Ｓの前側、すなわち前扉２１の後面２１Ｒ側には、紙幣を案内するフロントガイド２５が設けられている。このフロントガイド２５は、前扉２１に対し、取付部材２６を介して取り付けられることにより、リバースガイド２２との間隔である前後長さＬ１が所望の長さに調整される（詳しくは後述する）。
【００３８】
また内部空間２０Ｓ内における左右それぞれの内側面近傍には、紙幣を案内するサイドガイド２７がそれぞれ設けられている。サイドガイド２７は、左右の両側板に対し、図示しない位置調整機構を介して取り付けられている。このためサイドガイド２７は、この位置調整機構によってそれぞれ左右方向へ移動されることにより、それぞれの左右方向の位置を調整し、当該サイドガイド２７同士の間隔が所望の長さに調整される。
【００３９】
このように内部空間２０Ｓの内部には、ステージ２３の上側に、天板２０Ｃ、リバースガイド２２、フロントガイド２５及び左右それぞれのサイドガイド２７により規定される、当該内部空間２０Ｓよりも一回り小さな直方体状の空間が形成される。この空間には、紙幣がステージ２３上に順次集積されながら収納されていく。以下、この空間を収納空間２０ＳＣと呼ぶ。このため、収納空間２０ＳＣにおける前後方向（以下これを規定方向とも呼ぶ）の大きさは、前扉２１に対しフロントガイド２５が取り付けられた位置（以下これを取付位置と呼ぶ）により規定されることになる。
【００４０】
収納空間２０ＳＣにおける前上方、すなわちフロントガイド２５の後面における上端近傍には、ビルストッパ２８が設けられている。ビルストッパ２８は、小さな直方体状に形成されており、フロントガイド２５に対し、図示しない弾性体を介して取り付けられている。
【００４１】
内部空間２０Ｓの後側における上寄りの部分には、複数のローラやガイドの組み合わせにより構成された分離放出部２９が設けられている。分離放出部２９は、各ローラを適宜回転させることにより、搬送部１３（図２）から受け取った紙幣を収納空間２０ＳＣ内へ放出してステージ２３上に集積させ、当該紙幣を収納する。また分離放出部２９は、各ローラを適宜回転させることにより、ステージ２３上に集積されている紙幣を１枚ずつに分離して繰り出し、搬送部１３（図２）へ順次引き渡す。
【００４２】
このように紙幣収納庫１６は、前扉２１の後面２１Ｆに取付部材２６を介してフロントガイド２５が取り付けられており、このフロントガイド２５により収納空間２０ＳＣの前面が規定されている。
【００４３】
［１−３．フロントガイド取付部の構成］
次に、前扉２１、フロントガイド２５及び取付部材２６の構成について説明する。図４に模式的な分解斜視図を示すように、規定体としてのフロントガイド２５は、４個の取付部材２６を介して前扉２１に取り付けられている。４個の取付部材２６は、互いに間隔を空け、上下方向に２個、左右方向に２個ずつ並ぶように配置されている。因みに前扉２１、フロントガイド２５及び取付部材２６は、何れも樹脂材料により構成されている。
【００４４】
フロントガイド２５は、前後方向に薄く上下方向に細長い２本の板状部材が上下の端部近傍で左右に連結されたような形状となっている。このフロントガイド２５には、取付部材２６を固定するためのフロントガイド固定部５０が４箇所に、すなわち左右方向に２箇所、上下方向に２箇所が並ぶようにして、設けられている。
【００４５】
またフロントガイド２５の下端近傍には、左右それぞれの最外部に、下方向へ向けて細長く形成された保護部２５Ａが設けられている。左右の保護部２５Ａの内側には、同様に下方向へ向けて細長く形成された延長部２５Ｂが設けられ、さらに当該延長部２５Ｂの下端に、左右の外方へ向けて突出した係合爪２５Ｃが形成されている。係合爪２５Ｃは、樹脂材料により構成された延長部２５Ｂの性質により、左右方向へ弾性変形することができる。
【００４６】
一方、基体としての前扉２１は、フロントガイド２５よりも面積が大きい板状に形成されており、取付部材２６を固定するための前扉固定部４０が４箇所に設けられている。また前扉２１の前面における下端近傍の左右両側には、フロントガイド２５の係合爪２５Ｃと対応する箇所に、係合レール２１Ａが形成されている。この係合レール２１Ａは、前後方向に沿った直線状に形成されている。フロントガイド２５は、取付部材２６を介して前扉２１に取り付けられる場合、係合爪２５Ｃを前扉２１の係合レール２１Ａに係合させるようになっている（詳しくは後述する）。
【００４７】
以下では、説明の都合上、取付部材２６、前扉２１の前扉固定部４０及びフロントガイド２５のフロントガイド固定部５０を合わせてフロントガイド取付部３０とも呼ぶ。
【００４８】
［１−３−１．取付部材の構成］
取付部材２６は、図５に拡大図を示すように、直方体状の本体部３１と、各側面に１個ずつ設けられた合計６個の爪部とにより構成されている。
【００４９】
本体部３１は、側面３２Ａ及びこれと反対側の側面３３Ａ、側面３２Ｂ及びこれと反対側の側面３３Ｂ、並びに側面３２Ｃ及びこれと反対側の側面３３Ｃにより構成されている。この本体部３１では、側面３２Ａ及び側面３３Ａの間隔である取付間隔ＬＡ、側面３２Ｂ及び側面３３Ｂの間隔である取付間隔ＬＢ、並びに側面３２Ｃ及び側面３３Ｃの間隔である取付間隔ＬＣの間に、ＬＡ＜ＬＢ＜ＬＣという大小関係が成立している。詳細には、ＬＢ＝ＬＡ＋７［ｍｍ］であり、且つＬＣ＝ＬＢ＋７［ｍｍ］となっている。
【００５０】
これを換言すれば、取付部材２６の本体部３１は、側面３２Ａ、３２Ｂ及び３２Ｃから、それぞれ互いに異なる方向へ、例えば前後方向、左右方向及び上下方向へ、互いに異なる距離（すなわち取付間隔）ずつ離隔した位置に、側面３３Ａ、３３Ｂ及び３３Ｃがそれぞれ配置されている。
【００５１】
取付部材２６の側面３２Ｃを上側に向けた姿勢において、側面３２Ａにおける上端近傍には、爪部３６Ａが設けられている。爪部３６Ａは、側面３２Ａから法線方向に延びた後、下方へ向けて屈曲されることにより、下側が開放された爪状の突起として形成されている。すなわち爪部３６Ａは、左右の側方から見て、英文字の「Ｌ」を適宜回転若しくは反転させたような形状となっている。側面３２Ｂ及び３２Ｃには、爪部３６Ａと同様の爪部３６Ｂ及び３６Ｃがそれぞれ設けられている。
【００５２】
同様に側面３２Ｃを上側に向けた姿勢において、側面３３Ａにおける上端近傍には、爪部３７Ａが設けられている。爪部３７Ａは、爪部３６Ａとほぼ上下対称であり、上側が開放された爪状の突起として形成されている。側面３３Ｂ及び３３Ｃには、爪部３７Ａと同様の爪部３７Ｂ及び３７Ｃがそれぞれ設けられている。
【００５３】
さらに、図６（Ａ）、（Ｂ）及び（Ｃ）に示すように、爪部３６Ａ、３６Ｂ及び３６Ｃにおけるそれぞれの外面、すなわち側面３２Ａ、３２Ｂ及び３２Ｃとそれぞれ平行な部分には、文字「Ａ」、「Ｂ」及び「Ｃ」がそれぞれ記されている。
【００５４】
このように取付部材２６は、爪部３６Ａ、３６Ｂ及び３６Ｃが設けられた側面３２Ａ、３２Ｂ及び３２Ｃと、爪部３７Ａ、３７Ｂ及び３７Ｃが設けられた側面３３Ａ、３３Ｂ及び３３Ｃとを、互いに反対側に配置し、且つ各側面同士の間隔である取付間隔ＬＡ、ＬＢ及びＬＣを互いに相違させている。
【００５５】
［１−３−２．前扉固定部及びフロントガイド固定部の構成］
前扉２１の前扉固定部４０は、図７（Ａ）に拡大した斜視図を示すように、後面２１Ｒの一部が後方へ盛り上がることにより形成された台部４１を中心に構成されている。台部４１の後面は、平坦な平面として形成されている。
【００５６】
台部４１には、角孔でなる７個の固定孔４２Ｈ（４２Ｈ０、４２Ｈ１、４２Ｈ２、４２Ｈ３、４２Ｈ４、４２Ｈ５及び４２Ｈ６）が穿設されている。各固定孔４２Ｈは、図８（Ａ）に示すように、前扉２１の前面２１Ｆまで貫通している。
【００５７】
また以下では、台部４１（図７（Ａ））のうち、各固定孔４２Ｈ及びその周辺部分を、被固定部４１Ｓ（４１Ｓ０、４１Ｓ１、４１Ｓ２、４１Ｓ３、４１Ｓ４、４１Ｓ５及び４１Ｓ６）と呼ぶ。このうち被固定部４１Ｓ０、４１Ｓ１、４１Ｓ２、４１Ｓ３、４１Ｓ４及び４１Ｓ５は、左右方向に２列、上下方向に３列となるよう整然と配置されており、その上側におけるほぼ中央に被固定部４１Ｓ６が配置されている。また各被固定部４１Ｓは、何れも台部４１の後面に設けられているため、前後方向に関する互いの位置が同等となっている。
【００５８】
一方、フロントガイド２５のフロントガイド固定部５０は、図７（Ｂ）に拡大した斜視図を示すように、７個の被固定部５１Ｓ（５１Ｓ０、５１Ｓ１、５１Ｓ２、５１Ｓ３、５１Ｓ４、５１Ｓ５及び５１Ｓ６）が設けられている。各被固定部５１Ｓは、前扉２１の前扉固定部４０（図７（Ａ））における各被固定部４１Ｓと鏡像をなすように配置されている。
【００５９】
すなわち、被固定部５１Ｓ０、５１Ｓ１、５１Ｓ２、５１Ｓ３、５１Ｓ４及び５１Ｓ５は、左右方向に２列、上下方向に３列となるよう整然と配置されており、その上側におけるほぼ中央に被固定部５１Ｓ６が配置されている。換言すれば、被固定部５１Ｓ０、５１Ｓ１、５１Ｓ２、５１Ｓ３、５１Ｓ４、５１Ｓ５及び５１Ｓ６は、前扉固定部４０の被固定部４１Ｓ０、４１Ｓ１、４１Ｓ２、４１Ｓ３、４１Ｓ４、４１Ｓ５及び４１Ｓ６とそれぞれ対応する位置に配置されている。
【００６０】
一方、各被固定部５１Ｓは、被固定部４１Ｓの場合とは異なり、前後方向に関して互いの前面の位置が異なっており、フロントガイド２５の前面に複数段の段差を形成している。具体的に被固定部５１Ｓ０、５１Ｓ１、５１Ｓ２、５１Ｓ３、５１Ｓ４、５１Ｓ５及び５１Ｓ６は、この順に１［ｍｍ］ずつ前方へせり出していくよう、それぞれの前後方向の位置が定められている。
【００６１】
因みに各被固定部５１Ｓにおけるフロントガイド２５の厚さ（すなわち前後方向の長さ）は、何れも同等となっている。換言すれば、フロントガイド２５における後面にも、複数段の段差が形成されている。
【００６２】
各被固定部５１Ｓには、前後方向に貫通する角孔でなる固定孔５２Ｈ（５２Ｈ０、５２Ｈ１、５２Ｈ２、５２Ｈ３、５２Ｈ４、５２Ｈ５及び５２Ｈ６）がそれぞれ穿設されている。各固定孔５２Ｈは、上下方向及び左右方向に関して、前扉２１の前扉固定部４０（図７（Ａ））における各固定孔４２Ｈと鏡像をなすように配置されている。
【００６３】
このように、前扉２１の前扉固定部４０には、平坦であり前後方向の位置が同等である７箇所の被固定部４１Ｓが設けられ、それぞれに固定孔４２Ｈが設けられている。その一方で、フロントガイド２５のフロントガイド固定部５０には、段差を形成し前後方向の位置が互いに異なる７箇所の被固定部５１Ｓが設けられ、それぞれに固定孔５２Ｈが設けられている。
【００６４】
［１−３−３．前扉に対するフロントガイドの取付］
次に、フロントガイド取付部３０における、前扉２１に対する取付部材２６を介したフロントガイド２５の取付について、図９（Ａ）を参照しながら説明する。なお、図９（Ａ）では、説明の都合上、各部を模式的に表すと共に一部を省略しており、さらにフロントガイド２５の各被固定部５１Ｓを、上下方向に沿って一列に並べている。
【００６５】
フロントガイド取付部３０では、まず前扉２１の後側から、取付部材２６の姿勢が適宜調整されると共に、前扉固定部４０における何れかの固定孔４２Ｈが選択されて取付部材２６の爪部３６が挿通される。さらに取付部材２６は、被固定部４１Ｓに側面３２が当接した状態で下方へ僅かに移動される。これにより取付部材２６は、爪部３６が固定孔４２Ｈの周辺部分、すなわち被固定部４１Ｓに引っ掛けられ、前扉２１に固定される。
【００６６】
このときフロントガイド取付部３０では、取付部材２６の側面３２が前扉固定部４０の被固定部４２Ｓに対し、比較的広い面積により当接するため、当該取付部材２６から前方向へ向けて比較的強い力が加えられたとしても、これを十分に受け止めることができる。またフロントガイド取付部３０では、下方へ向けて伸びた爪部３６が固定孔４２に挿入され被固定部４１Ｓに引っ掛けられることにより、前後方向（すなわち規定方向）と交差する方向である左右方向及び上下方向のうち、上方向を除いた３方向に関して、取付部材２６の移動を規制することができる。
【００６７】
また爪部３６の一部、特に外側の部分は、図８（Ｂ）に示すように、固定孔４２Ｈから前扉２１の前側に露出する。この爪部３６には、図６（Ａ）〜（Ｃ）に示したように、それぞれ異なる文字が記されている。このためフロントガイド取付部３０は、前扉２１の前側から、すなわち紙幣収納庫１６（図３）の外側から、７個の固定孔４２Ｈ（４２Ｈ０〜４２Ｈ６）のうち何れに爪部３６が引っ掛けられているか、及び当該爪部３６に記された文字を、視認させることができる。
【００６８】
次にフロントガイド取付部３０では、取付部材２６の後側にフロントガイド２５が近づけられ、爪部３７をフロントガイド固定部５０における何れかの固定孔５２Ｈに挿通されて、被固定部５１Ｓに取付部材２６の側面３３が当接した状態で、当該フロントガイド２５が下方へ僅かに移動される。これにより取付部材２６は、爪部３７が固定孔５２Ｈの周辺部分、すなわち被固定部５１Ｓに引っ掛けられ、フロントガイド２５を固定する。
【００６９】
因みに取付部材２６は、フロントガイド固定部５０において、前扉固定部４０側で固定された被固定部４１Ｓと対応する被固定部５１Ｓに固定される。例えば取付部材２６は、前扉固定部４０において被固定部４１Ｓ０に固定された場合、フロントガイド固定部５０において被固定部５１Ｓ０に固定される。
【００７０】
このときフロントガイド２５（図４）は、上述したように、係合爪２５Ｃを前扉２１の係合レール２１Ａに係合させることにより、上方向への移動が規制される。これによりフロントガイド２５は、上方向への外力が加えられた場合であっても、取付部材２６の爪部３７が被固定部５１Ｓから外れること、若しくは取付部材２６の爪部３６が前扉２１の被固定部４１Ｓから外れることを防止し、取付部材２６を介して前扉２１に取り付けられた状態を維持する。
【００７１】
またフロントガイド２５の保護部２５Ａは、フロントガイド２５の左右両外側から延長部２５Ｂに異物等が接触することを防止し、当該延長部２５Ｂが左右の内側へ弾性変形して係合爪２５Ｃと係合レール２１Ａとの係合が不用意に解除されることを阻止できる。
【００７２】
ここで取付部材２６（図５）は、上述したように、互いに反対側に位置する側面同士、すなわち側面３２及び３３の間隔が、取付間隔ＬＡ、ＬＢ又はＬＣの３通りに相違している。すなわちフロントガイド取付部３０では、図１０（Ａ）、（Ｂ）及び（Ｃ）に模式図を示すように、取付部材２６の姿勢に応じて、前扉２１の被固定部４１Ｓとフロントガイド２５の被固定部５１Ｓとの間隔（以下これを選択取付間隔ＬＳと呼ぶ）を、取付間隔ＬＡ、ＬＢ又はＬＣの３段階に調整することができる。この選択取付間隔ＬＳは、上述したように、７［ｍｍ］ごとに３段階に変化することになる。
【００７３】
またフロントガイド取付部３０では、図７（Ｂ）及び図９（Ａ）に示したように、フロントガイド２５側の各被固定部５１Ｓ（５１Ｓ０〜５１Ｓ６）が７段の段差を形成しているため、取付部材２６を取り付ける被固定部５１Ｓに応じて、フロントガイド２５の前後方向の位置を７段階に調整することができる。
【００７４】
説明の都合上、以下では、最も前側に位置する被固定部５１Ｓ０を基準として、実際に取付部材２６が取り付けられた被固定部５１Ｓ（５１Ｓ０〜５１Ｓ６）までの前後方向の間隔を、段差間隔ＬＴと定義する。これにより被固定部５１Ｓ０、５１Ｓ１、５１Ｓ２、…、５１Ｓ６におけるそれぞれの段差間隔ＬＴは、０、１、２、…、６［ｍｍ］となる。
【００７５】
そうすると、フロントガイド取付部３０では、取付部材２６を介して前扉２１に取り付けられたフロントガイド２５の前後方向に関する位置（以下これを取付位置と呼ぶ）を、選択取付間隔ＬＳと段差間隔ＬＴとの加算値により表すことができる。ここで、取付部材２６の姿勢に応じた選択取付間隔ＬＳと、選択された被固定部５１Ｓとにより定まる取付位置の値を整理すると、図９（Ｂ）に示す取付位置調整表Ｔ１のように表すことができる。
【００７６】
すなわちフロントガイド取付部３０では、選択取付間隔ＬＳを３通りに調整でき、段差間隔ＬＴを７通りに調整できるので、両者の組み合わせが、３及び７を乗じた２１通りとなる。またフロントガイド取付部３０では、選択取付間隔ＬＳを７［ｍｍ］ごとに設定し、段差間隔ＬＴを１［ｍｍ］ごとに設定したため、両者の組み合わせにより１［ｍｍ］ごとに２０［ｍｍ］の調整幅で、フロントガイド２５の取付位置を２１段階に調整することができる。
【００７７】
［１−４．効果等］
以上の構成において、第１の実施の形態による現金自動預払機１の紙幣収納庫１６では、４箇所のフロントガイド取付部３０により、前扉２１に対し取付部材２６を介してフロントガイド２５を取り付けるようにした。
【００７８】
取付部材２６は、互いに反対側に位置する側面３２及び３３の間隔を、取付間隔ＬＡ、ＬＢ又はＬＣの３通りに相違させた（図５、図９）。このためフロントガイド取付部３０は、前扉２１の前扉固定部４０におけるいずれかの被固定部４１Ｓに取付部材２６を取り付けるときに、その姿勢を適宜変化させた上で爪部３６（３６Ａ、３６Ｂ又は３６Ｃ）を何れかの固定孔４２Ｈに挿入し、被固定部４１Ｓに引っ掛けるだけで、選択取付間隔ＬＳを３段階に調整できる。
【００７９】
すなわちフロントガイド取付部３０は、取付部材２６を他の部材と交換する必要なく、同一の部材を用いながら、その姿勢を変化させて側面３２Ａ、３２Ｂ及び３２Ｃの何れかを前方へ向けるだけで、選択取付間隔ＬＳを変化させてフロントガイド２５の取付位置を調整することができる。このためフロントガイド取付部３０は、フロントガイド２５の取付位置を調整する場合に、交換用の部材を用意する必要が無く、またこのような部品を管理する手間等も省くことができる。
【００８０】
またフロントガイド２５のフロントガイド固定部５０は、前後方向に関する各被固定部５１Ｓの位置を互いに相違させて段差を形成した（図７（Ｂ））。このためフロントガイド取付部３０は、取付部材２６の爪部３７を引っ掛ける被固定部５１Ｓ（５１Ｓ０〜５１Ｓ６）を切り替え、これと対応する被固定部４１Ｓ（４１Ｓ０〜４１Ｓ６）に爪部３６を引っ掛けて固定することにより、段差間隔ＬＴを７段階に調整することができる（図９（Ａ））。
【００８１】
すなわちフロントガイド取付部３０は、やはり取付部材２６を他の部材と交換する必要なく、使用する被固定部４１Ｓ及び５１Ｓを切り替えて当該取付部材２６の取付位置を変更するだけで、段差間隔ＬＴを変化させてフロントガイド２５の取付位置を調整することができる。
【００８２】
さらにフロントガイド取付部３０は、取付部材２６における３段階の選択取付間隔ＬＳの調整と、フロントガイド固定部５０における７段階の段差間隔ＬＴの調整とを組み合わせることにより、フロントガイド２５の取付位置を、当該選択取付間隔ＬＳ及び当該段差間隔ＬＴの加算値に基づき、合計２１段階に調整することができる（図９（Ｂ））。
【００８３】
そのうえフロントガイド取付部３０は、フロントガイド固定部５０において段差間隔ＬＴを１［ｍｍ］ごととして６［ｍｍ］の調整幅で変化させると共に、取付部材２６の選択取付間隔ＬＳを７［ｍｍ］ごとに変化させるようにした。このためフロントガイド取付部３０は、段差間隔ＬＴ及び選択取付間隔ＬＳの加算値により定まるフロントガイド２５の取付位置を、０［ｍｍ］から２０［ｍｍ］まで１［ｍｍ］ごとに調整できる。
【００８４】
この結果、紙幣収納庫１６では、リバースガイド２２とフロントガイド２５との間隔である前後長さＬ１（図３）を、１［ｍｍ］ごとに２０［ｍｍ］の調整幅で調整することができる。
【００８５】
例えば、ユーロ紙幣における短辺の長さは、最も短い６２［ｍｍ］（５ユーロ）から最も長い８２［ｍｍ］（１００ユーロ等）までとなっており、その差が２０［ｍｍ］となっている。これに対して紙幣収納庫１６（図３）は、前後長さＬ１を１［ｍｍ］ごとに２０［ｍｍ］の調整幅で調整できるため、ユーロ紙幣を収納する場合、収納する金種に合わせた適切な大きさの収納空間２０ＳＣを形成でき、当該収納空間２０ＳＣ内に紙幣を整然と収納できる。
【００８６】
またフロントガイド取付部３０は、取付部材２６の側面３２及び３３に爪部３６及び３７をそれぞれ設け、これらを固定孔４２Ｈ及び５２Ｈにそれぞれ挿通させて上下方向へ僅かに移動させることにより、爪部３６及び３７を被固定部４１Ｓ及び５１Ｓにそれぞれ引っ掛けて固定するようにした（図８、図９）。このためフロントガイド取付部３０は、フロントガイド２５の取付作業や取付位置を変更する作業において、作業員等に工具を使用させる必要なく、容易に且つ短時間で作業を行わせることができる。
【００８７】
さらにフロントガイド取付部３０は、前扉固定部４０の固定孔４２Ｈを前後方向に貫通させると共に（図７（Ａ））、取付部材２６の爪部３６（３６Ａ、３６Ｂ及び３６Ｃ）における外側部分に、それぞれ互いに異なる文字を記した（図６）。このためフロントガイド取付部３０は、前扉２１の前側から、取付部材２６が取り付けられている被固定部４１Ｓ（４１Ｓ０〜４１Ｓ６）が何れであるか、及び当該被固定部４１Ｓに引っ掛けられている爪部３６（３６Ａ〜３６Ｃ）が何れであるかを、それぞれ視認させることができる。
【００８８】
これによりフロントガイド取付部３０は、例えば紙幣収納庫１６の前扉２１が閉塞されている状態において（図３）、当該前扉２１を開放させることなく、作業員等に前側から目視させただけで、段差間隔ＬＴ及び選択取付間隔ＬＳをそれぞれ認識させることができ、さらに両間隔の加算値からフロントガイド２５の取付位置を把握させることもできる。
【００８９】
また紙幣収納庫１６は、前扉２１及びフロントガイド２５に対し、上端から１／４程度下寄り及び下端から１／４程度上寄りの位置にフロントガイド取付部３０を設けた（図４）。このため紙幣収納庫１６は、フロントガイド２５の上端近傍及び下端近傍にフロントガイド２５を設ける場合と比較して、当該フロントガイド２５の前後方向への撓みを抑えることができる。
【００９０】
以上の構成によれば、第１の実施の形態による現金自動預払機１の紙幣収納庫１６は、４箇所のフロントガイド取付部３０において、前扉２１に対し取付部材２６を介してフロントガイド２５を取り付けるようにした。取付部材２６は、互いに反対側に位置する側面３２及び３３の間隔を、取付間隔ＬＡ、ＬＢ又はＬＣの３通りに相違させた。これによりフロントガイド取付部３０は、取付部材２６が取り付けられる場合の姿勢を変化させるだけで、部品交換することなく、選択取付間隔ＬＳを３段階に調整させることができる。
【００９１】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点において相違するものの、他の点については同様に構成されている。紙幣入出金機１１０（図２）は、第１の実施の形態による紙幣入出金機１０と比較して、紙幣収納庫１６に代わる紙幣収納庫１１６を有する点において相違するものの、他の点については同様に構成されている。
【００９２】
紙幣収納庫１１６（図３）は、第１の実施の形態による紙幣収納庫１６と比較して、前扉２１及びフロントガイド２５に代わる前扉１２１及びフロントガイド１２５を有する点において相違するものの、他の点については同様に構成されている。前扉１２１及びフロントガイド１２５には、それぞれ前扉固定部４０及びフロントガイド固定部５０に代わる前扉固定部１４０及びフロントガイド固定部１５０が設けられている。
【００９３】
また紙幣収納庫１１６では、１種類の取付部材２６に代えて、２種類の第１取付部材１２６及び第２取付部材１６６のうち何れか一方が用いられる。さらに紙幣収納庫１１６では、前扉固定部１４０、フロントガイド固定部１５０、並びに第１取付部材１２６及び第２取付部材１６６により、フロントガイド取付部３０に代わるフロントガイド取付部１３０が構成されている。
【００９４】
［２−１．フロントガイド取付部の構成］
第１取付部材１２６は、図５と対応する図１１に示すように、取付部材２６と同様、直方体状の本体部１３１と、６個の爪部とにより構成されている。本体部１３１は、本体部３１と同様、側面１３２Ａ及びこれと反対側の側面１３３Ａ、側面１３２Ｂ及びこれと反対側の側面１３３Ｂ、並びに側面１３２Ｃ及びこれと反対側の側面１３３Ｃにより構成されている。
【００９５】
この実施の形態では、側面１３２Ａ及び側面１３３Ａの間隔である取付間隔ＬＡ、側面１３２Ｂ及び側面１３３Ｂの間隔である取付間隔ＬＢ、並びに側面１３２Ｃ及び側面１３３Ｃの間隔である取付間隔ＬＣの間に、第１の実施の形態と同様のＬＡ＜ＬＢ＜ＬＣという大小関係が成立している。詳細には、ＬＢ＝ＬＡ＋４［ｍｍ］であり、且つＬＣ＝ＬＢ＋４［ｍｍ］となっている。
【００９６】
側面１３２（１３２Ａ、１３２Ｂ及び１３２Ｃ）には、爪部３６に代わる爪部１３６（１３６Ａ、１３６Ｂ及び１３６Ｃ）が設けられている。爪部１３６には、爪部３６と同様の構成に加えて、左右方向のほぼ中央において側面１３２と爪部１３６の先端部分との間を繋ぐ板状のリブが形成されている。また側面１３３（１３３Ａ、１３３Ｂ及び１３３Ｃ）には、爪部３７に代わる爪部１３７（１３７Ａ、１３７Ｂ及び１３７Ｃ）が設けられている。爪部１３７は、爪部１３６と上下対称に形成されており、当該爪部１３６と同様にリブが形成されている。
【００９７】
第２取付部材１６６は、第１取付部材１２６と類似した構成となっており、直方体状の本体部１７１と、６個の爪部とにより構成されている。本体部１７１は、本体部１３１と同様、側面１７２Ｄ及びこれと反対側の側面１７３Ｄ、側面１７２Ｅ及びこれと反対側の側面１７３Ｅ、並びに側面１７２Ｆ及びこれと反対側の側面１７３Ｆにより構成されている。
【００９８】
この本体部１７１では、取付間隔ＬＣと、側面１７２Ｄ及び側面１７３Ｄの間隔である取付間隔ＬＤ、側面１７２Ｅ及び側面１７３Ｅの間隔である取付間隔ＬＥ、並びに側面１７２Ｆ及び側面１７３Ｆの間隔である取付間隔ＬＦとの間に、ＬＣ＜ＬＤ＜ＬＥ＜ＬＦという大小関係が成立している。ただし、詳細には、ＬＤ＝ＬＣ＋４［ｍｍ］であり、ＬＥ＝ＬＤ＋４［ｍｍ］であり、且つＬＦ＝ＬＥ＋４［ｍｍ］となっている。
【００９９】
このように第２取付部材１６６は、第１取付部材１２６と比較して、各取付間隔のみが相違している。
【０１００】
前扉１２１の前扉固定部１４０は、図７（Ａ）及び図８（Ａ）と対応する図１２（Ａ）及び（Ｂ）に示すように、後面１２１Ｒの一部が後方へ盛り上がることにより形成された台部１４１を中心に構成されている。台部１４１の後面は、平坦な平面として形成されており、上下方向に沿って４箇所の被固定部１４１Ｓ（１４１Ｓ０、１４１Ｓ１、１４１Ｓ２及び１４１Ｓ３）が１列に並んで配置されている。
【０１０１】
各被固定部１４１Ｓには、固定孔４２Ｈに代わる固定孔１４２Ｈ（１４２Ｈ０、１４２Ｈ１、１４２Ｈ２及び１４２Ｈ３）がそれぞれ設けられている。各固定孔１４２Ｈは、何れも前扉１２１を前後方向に貫通する角孔となっており、さらにそれぞれの下辺に、第１取付部材１２６の爪部３６等に設けられたリブと対応する切欠が形成されている。
【０１０２】
フロントガイド１２５のフロントガイド固定部１５０は、図７（Ｂ）と対応する図１３に拡大した斜視図を示すように、４個の被固定部１５１Ｓ（１５１Ｓ０、１５１Ｓ１、１５１Ｓ２及び１５１Ｓ３）が設けられている。各被固定部１５１Ｓは、第１の実施の形態と同様、前扉１２１の前扉固定部１４０（図１２（Ａ））における各被固定部１４１Ｓと鏡像をなすように、上下方向に沿って１列に並んで配置されている。
【０１０３】
各被固定部１５１Ｓは、第１の実施の形態と同様、前後方向に関して互いの前面の位置が異なっており、フロントガイド１２５の前面に複数段の段差を形成している。具体的に被固定部１５１Ｓ０、１５１Ｓ１、１５１Ｓ２及び１５１Ｓ３は、この順に１［ｍｍ］ずつ前方へせり出していくよう、それぞれの前後方向の位置が定められている。
【０１０４】
各被固定部１５１Ｓには、前後方向に貫通する角孔でなる固定孔１５２Ｈ（１５２Ｈ０、１５２Ｈ１、１５２Ｈ２及び１５２Ｈ３）がそれぞれ穿設されている。各固定孔１５２Ｈは、上下方向及び左右方向に関して、前扉１２１の前扉固定部１４０（図１２（Ａ））における各固定孔１４２Ｈとそれぞれ対応する位置に配置されている。また各固定孔１５２Ｈは、何れもフロントガイド１２５を前後方向に貫通する角孔となっており、さらにそれぞれの上辺に、第１取付部材１２６の爪部３７等に設けられたリブと対応する切欠が形成されている。
【０１０５】
［２−２．前扉に対するフロントガイドの取付］
フロントガイド取付部１３０では、図９（Ａ）と対応する図１４（Ａ）に示すように、第１の実施の形態と同様に、前扉１２１に対して第１取付部材１２６又は第２取付部材１６６を介してフロントガイド１２５が取り付けられる。
【０１０６】
具体的にフロントガイド取付部１３０では、第１取付部材１２６が用いられる場合、当該第１取付部材１２６の姿勢が適宜調整された上で、前扉固定部１４０における何れかの固定孔１４２Ｈに爪部１３６が挿通され、被固定部１４１Ｓに引っ掛けられて前扉１２１に固定される。さらにフロントガイド取付部１３０では、第１取付部材１２６の爪部１３７がフロントガイド固定部１５０における何れかの固定孔１５２Ｈに挿通され、被固定部１５１Ｓに引っ掛けられてフロントガイド１２５を固定する。因みにフロントガイド取付部１３０では、第２取付部材１６６が用いられる場合にも、同様に爪部１７６及び１７７が被固定部１４１Ｓ及び１５１Ｓにそれぞれ引っ掛けられる。
【０１０７】
ここで第１取付部材１２６は、上述したように、互いに反対側に位置する側面同士、すなわち側面１３２及び１３３の間隔が、取付間隔ＬＡ、ＬＢ又はＬＣの３通りに相違している（図１１（Ａ））。また第２取付部材１６６は、上述したように、互いに反対側に位置する側面同士、すなわち側面１７２及び１７３の間隔が、取付間隔ＬＤ、ＬＥ又はＬＦの３通りに相違している（図１１（Ｂ））。
【０１０８】
すなわちフロントガイド取付部１３０では、第１取付部材１２６又は第２取付部材１６６の何れか一方を選択し、さらにその姿勢を変化させることにより、前扉１２１の被固定部１４１Ｓとフロントガイド１２５の被固定部１５１Ｓとの間隔である選択取付間隔ＬＳを、取付間隔ＬＡ、ＬＢ、ＬＣ、ＬＤ、ＬＥ又はＬＦの６段階に調整することができる。この選択取付間隔ＬＳは、上述したように、４［ｍｍ］ごとに６段階に変化することになる。
【０１０９】
またフロントガイド取付部１３０では、図１３に示したように、フロントガイド２５側の各被固定部１５１Ｓ（１５１Ｓ０〜１５１Ｓ３）が４段の段差を形成しているため、第１取付部材１２６又は第２取付部材１６６を取り付ける被固定部１５１Ｓに応じて、フロントガイド１２５の前後方向の位置を４段階に調整することができる。
【０１１０】
そうすると、フロントガイド取付部１３０では、第１取付部材１２６又は第２取付部材１６６を介して前扉１２１に取り付けられたフロントガイド１２５の前後方向に関する位置（すなわち取付位置）を、第１の実施の形態と同様、選択取付間隔ＬＳと段差間隔ＬＴとの加算値により表すことができる。ここで、第１取付部材１２６及び第２取付部材１６６の姿勢に応じた選択取付間隔ＬＳと、選択された被固定部１５１Ｓとにより定まる取付位置の値を整理すると、図９（Ｂ）と対応する図１４（Ｂ）に示す取付位置調整表Ｔ２のように表すことができる。
【０１１１】
すなわちフロントガイド取付部１３０では、選択取付間隔ＬＳを６通りに調整でき、段差間隔ＬＴを４通りに調整できるので、両者の組み合わせが、６及び４を乗じた２４通りとなる。またフロントガイド取付部１３０では、選択取付間隔ＬＳを４［ｍｍ］ごとに設定し、段差間隔ＬＴを１［ｍｍ］ごとに設定したため、両者の組み合わせにより１［ｍｍ］ごとに２３［ｍｍ］の調整幅で、フロントガイド１２５の取付位置を２４段階に調整することができる。
【０１１２】
［２−３．効果等］
以上の構成において、第２の実施の形態による現金自動預払機１０１の紙幣収納庫１１６では、４箇所のフロントガイド取付部１３０により、前扉１２１に対し第１取付部材１２６又は第２取付部材１６６を介してフロントガイド１２５を取り付けるようにした。
【０１１３】
フロントガイド取付部１３０は、第１取付部材１２６又は第２取付部材１６６の何れか一方を選択した上でその姿勢を適宜変化させ、前扉１２１の前扉固定部１４０における何れかの被固定部１４１Ｓの固定孔１４２Ｈに爪部１３６又は１７６を差し込むだけで、選択取付間隔ＬＳを６段階に調整できる。
【０１１４】
すなわちフロントガイド取付部１３０は、僅か２個の部材（第１取付部材１２６及び第２取付部材１６６）を用いることにより、選択取付間隔ＬＳを６段階に調整することができるので、フロントガイド１２５の取付位置ごとに部材を変更する場合と比較して、用意すべき部材の数を格段に削減することができる。
【０１１５】
また第１取付部材１２６及び第２取付部材１６６では、爪部１３６、１３７、１７６及び１７７にそれぞれリブを設けた（図１１）。これによりフロントガイド取付部１３０は、爪部１３６等に異物が衝突した場合や外力が加えられた場合にも、破損を効果的に防止できる。
【０１１６】
さらに前扉１２１の前扉固定部１４０では、第１取付部材１２６の爪部１３６又は第２取付部材１６６の爪部１７６が被固定部１４１Ｓに引っ掛けられた場合に、その前面を前扉１２１の前面よりも後側に位置させ、突出させないようにした（図１４）。これによりフロントガイド取付部１３０では、紙幣収納庫１１６（図３）の外部から爪部１３６等に異物等が衝突することによる破損を未然に回避することができる。
【０１１７】
これと同様に、フロントガイド１２５のフロントガイド固定部１５０では、第１取付部材１２６の爪部１３７又は第２取付部材１６６の爪部１７７が被固定部１５１Ｓに引っ掛けられた場合に、その後面をフロントガイド１２５の後面よりも前側に位置させ、突出させないようにした（図１４）。これによりフロントガイド取付部１３０では、収納空間２０ＳＣ内に収納された紙幣が爪部１３７等に引っ掛かることを防止できる。
【０１１８】
その他の点においても、フロントガイド取付部１３０は、第１の実施の形態によるフロントガイド取付部３０と同様の作用効果を奏し得る。
【０１１９】
以上の構成によれば、第２の実施の形態による現金自動預払機１０１の紙幣収納庫１１６は、４箇所のフロントガイド取付部１３０において、前扉１２１に対し第１取付部材１２６又は第２取付部材１６６を介してフロントガイド１２５を取り付けるようにした。第１取付部材１２６は、互いに反対側に位置する側面１３２及び１３３の間隔を、取付間隔ＬＡ、ＬＢ又はＬＣの３通りに相違させた。また第２取付部材１６６は、互いに反対側に位置する側面１７２及び１７３の間隔を、取付間隔ＬＤ、ＬＥ又はＬＦの３通りに相違させた。これによりフロントガイド取付部１３０は、第１取付部材１２６又は第２取付部材の何れかを選択してその姿勢を変化させるだけで、選択取付間隔ＬＳを６段階に調整させることができる。
【０１２０】
［３．他の実施の形態］
なお上述した第１の実施の形態においては、取付部材２６を直方体とすることにより、互いに反対側に位置する側面３２及び３３を３組持たせ、それぞれの間隔である取付間隔ＬＡ、ＬＢ及びＬＣを互いに相違させて、前扉２１にフロントガイド２５を取り付ける際に、これらを全て利用する場合について述べた（図５、図９）。しかしながら本発明はこれに限らず、例えばフロントガイド２５の取付位置を比較的狭い範囲でのみ調整させたい場合などに、３組の側面３２及び３３のうち一部のみ、例えば２組のみを利用するようにしても良い。第２の実施の形態についても同様である。
【０１２１】
また上述した第１の実施の形態においては、取付部材２６を直方体とする場合について述べた（図５）。しかしながら本発明はこれに限らず、例えば４面体や８面体等、互いに反対側に位置する側面同士の組み合わせを２組以上有する種々の立体形状としても良い。この場合、それぞれの取付間隔を互いに相違させれば良い。第２の実施の形態についても同様である。
【０１２２】
さらに上述した第１の実施の形態においては、フロントガイド取付部３０において、取付部材２６の側面３２に爪部３６を設け、前扉２１の前扉固定部４０において被固定部４１Ｓに設けた固定孔４２Ｈにこの爪部３６を挿通させて引っ掛けることにより、当該取付部材２６を当該前扉２１に固定する場合について述べた。しかしながら本発明はこれに限らず、周知の種々の形状や機構等を利用することにより、取付部材２６を前扉２１に固定しても良い。
【０１２３】
例えば、図１５（Ａ）に示すフロントガイド取付部２３０のように、取付部材２２６の側面２３２に対し法線方向に沿って延びる２本の爪部２３６を設けても良い。この場合、２本の爪部２３６を弾性変形させながら前扉固定部４０の固定孔４２Ｈに挿通させ、貫通時に先端部分の間隔を広げることで、取付部材２２６を前扉２１に固定できる。これと同様に、フロントガイド２５のフロントガイド固定部５０側においても、取付部材２２６の側面２３３に同様に２本の爪部２３７を設け、これを固定孔５２Ｈに挿通させることにより固定できる。
【０１２４】
また、図１５（Ｂ）に示すフロントガイド取付部３３０のように、前扉固定部３４０の固定孔３４２Ｈ内に、左右方向に沿った細い円柱状の係合円柱３４３を設けると共に、取付部材３２６の側面３３２に、法線方向に沿って２本の爪部３３６を設け、当該爪部３３６の一部を係合円柱３４３の周側面に合わせて湾曲させても良い。この場合、２本の爪部３３６を弾性変形させながら前扉固定部３４０の固定孔３４２Ｈに挿通させ、貫通時に爪部３３６の間に係合円柱３４３を挟持させることで、取付部材３２６を前扉３２１に固定できる。これと同様に、フロントパネル３２５のフロントパネル固定部３５０においても、固定孔３５２Ｈ内に係合円柱３５３を設け、取付部材３２６の側面３３３に２本の爪部３３７を設けて、これを固定孔３５２Ｈに挿通させる係合円柱３５３を挟持させることにより固定できる。
【０１２５】
さらに、図１５（Ｃ）に示すフロントガイド取付部４３０のように、取付部材４２６の側面４３２に、左右の側方から見て英文字の「Ｕ」を倒したような形状の爪部４３６を設けると共に、その上側へやや離れた箇所に小さな柱状の位置決め突起４３８を設けても良い。この場合、前扉４２１側には、前扉固定部４４０の固定孔４４２Ｈ内に爪係合部４４４を設けると共に、当該固定孔４４２Ｈの上側へやや離れた箇所に位置決め孔４４５Ｈを設ける。取付部材４２６は、爪部４３６を弾性変形させながら固定孔４４２Ｈに挿入させると共に位置決め突起４３８を位置決め孔４４５Ｈに挿入させ、爪部４３６の先端を爪係合部４４４に引っ掛けることにより、前扉４２１に固定できる。これと同様に、フロントパネル４２５のフロントパネル固定部４５０側においても、取付部材４２６の側面４３３に爪部４３６及び位置決め突起４３８とそれぞれ同様の形状でなる爪部４３７及び位置決め突起４３９を設け、固定孔４５２Ｈ内に爪係合部４５４を設けると共にその上側に位置決め孔４５５Ｈを設けることにより、フロントパネル４２５を固定できる。
【０１２６】
このようにフロントガイド取付部３０では、取付部材２６を前扉固定部４０に固定するための固定部として、種々の構成を採用することができる。この固定部としては、樹脂部材の弾性変形を利用するなどして、容易な操作で取付部材２６を固定でき、また容易な操作でその固定を解除できれば良い。或いは、例えば前扉固定部４０側に爪部を設け、取付部材２６側に固定孔を設けても良い。さらには、フロントガイド２５の係合爪２５Ｃ及び前扉２１の係合レール２１Ａを省略しても良い。ただし、何れの場合においても、取付部材２６の側面３２を前扉２１側の部材、例えば台部４１（図７（Ａ））の後面である被固定部４１Ｓに当接させることにより、フロントガイド２５側から強い力が加えられた場合に、爪部のような強度の低い部材にこの力を加えさせないことが望ましい。取付部材２６をフロントガイド固定部５０に固定するための固定部についても同様であり、また第２の実施の形態についても同様である。
【０１２７】
また上述した第１の実施の形態においては、取付部材２６の側面３２及び３３に、互いにほぼ同等の形状でなる爪部３６及び３７を設ける場合について述べた。しかしながら本発明はこれに限らず、例えば側面３２側の爪部３６にのみ第２の実施の形態と同様のリブを設け、或いは爪部３６と爪部３７とでリブの数や位置を相違させる等、側面３２側と側面３３側とで互いに異なる形状の爪部を設け、誤った姿勢で取付部材２６を固定できないようにしても良い。第２の実施の形態についても同様である。
【０１２８】
さらに上述した第１の実施の形態においては、前扉２１の前扉固定部４０に設ける被固定部４１Ｓの固定孔４２Ｈを、当該前扉２１を前後方向に貫通する単純な角孔とし、取付部材２６の爪部３６を固定孔４２Ｈに挿通させ被固定部４１Ｓに引っ掛けたときに、爪部３６の一部を前扉２１の前面２１Ｆよりも前側に突出させる場合について述べた（図８（Ｂ））。しかしながら本発明はこれに限らず、例えば図１６（Ａ）に斜視図を示すと共にそのＡ１−Ａ２断面図を図１６（Ｂ）に示す前扉固定部５４０のように、固定孔５４２Ｈ内における概ね下半分の後寄りに爪係合部５４３を設けると共に、固定孔５４２Ｈ内における概ね上半分の前寄りに目隠し部５４４を設けても良い。これにより、前扉５２１の前側から紙幣収納庫１６の内部を覗き見ることが困難となる一方、爪部３６の前面に記された文字を目視させることができる。或いは、前扉２１における前扉固定部４０の前側部分に板状部材を設ける等して、前側から固定孔４２Ｈを隠蔽して爪部３６を目視させないようにしても良い。第２の実施の形態についても同様である。
【０１２９】
さらに上述した第１の実施の形態においては、爪部３６に「Ａ」、「Ｂ」及び「Ｃ」等の文字を記すことにより、取付部材２６が前扉固定部４０に固定されたときに、作業員等に前扉２１の前側から当該爪部３６の文字を視認させ、取付部材２６の姿勢を把握させて選択取付間隔ＬＳを認識させる場合について述べた（図６、図８（Ｂ））。しかしながら本発明はこれに限らず、例えば「Ｓ」、「Ｍ」及び「Ｌ」のような他の文字、「１」、「２」及び「３」のような数字、或いは種々の図形や記号を記しても良く、さらには図１７に示す爪部６３６Ａ、６３６Ｂ及び６３６Ｃのように、互いに異なる色彩や模様を付しても良い。又は、図１８に示す爪部７３６Ａ、７３６Ｂ及び７３６Ｃのように、互いの形状を一部相違させても良い。さらには、これらを組み合わせても良い。要は、作業員等により爪部３６Ａ、３６Ｂ及び３６Ｃ等を目視により識別させ得るような、互いに異なる視覚的な特徴を有していれば良い。この場合、取付間隔の大小関係を連想させるような特徴であればなお良い。若しくは、これと反対に、爪部３６に視覚的特徴を設けなくても良い。爪部３７についても同様であり、また第２の実施の形態についても同様である。
【０１３０】
また、例えば爪部３６Ａ、３６Ｂ及び３６Ｃに、各姿勢における取付間隔の取付間隔ＬＡからの増分値である数字「０」、「７」及び「１４」を記すと共に、前扉２１の前面における各固定孔４２Ｈ（４２Ｈ０〜４２Ｈ６）の近傍に、それぞれの段差間隔ＬＴを表す数字「０」、「１」、「２」、…、「６」を記しても良い。この場合、前扉２１の前側から前扉固定部４０の近傍を目視したときに、固定孔４２Ｈから見える爪部３６の数字と、当該爪部３６が挿通されている固定孔４２Ｈの近傍に記された数字とを単純に加算するだけで、フロントガイド２５の取付位置を知ることができる。
【０１３１】
さらに上述した第１の実施の形態においては、フロントガイド２５のフロントガイド固定部５０に設ける被固定部５１Ｓを段差状に配置する一方、前扉２１の前扉固定部４０に設ける被固定部４１Ｓを平面状に配置する場合について述べた（図７）。しかしながら本発明はこれに限らず、例えばフロントガイド固定部５０に設ける被固定部５１Ｓを平面状に配置する一方、前扉固定部４０に設ける被固定部４１Ｓを段差状に配置しても良く、或いは被固定部５１Ｓ及び被固定部４１Ｓの双方を段差状に配置しても良い。要は、取付部材２６が固定される被固定部５１Ｓ（５１Ｓ０〜５１Ｓ６）及び被固定部４１Ｓ（４１Ｓ０〜４１Ｓ６）に応じて、前扉２１に対するフロントガイド２５の取付位置を相違させ得れば良い。或いは、被固定部５１Ｓ及び被固定部４１Ｓを何れも１箇所ずつ設けて段差を形成しないようにし、取付部材２６の姿勢に応じて選択取付間隔ＬＳを取付間隔ＬＡ、ＬＢ又はＬＣに切り替えることのみにより、フロントガイド２５の取付位置を調整するようにしても良い。第２の実施の形態についても同様である。
【０１３２】
さらに上述した第１の実施の形態においては、取付部材２６における取付間隔ＬＡ、ＬＢ及びＬＣ同士の差分を７［ｍｍ］のように比較的大きな値とし、フロントガイド固定部５０の各被固定部５１Ｓにおける段差の間隔を１［ｍｍ］のように比較的小さな値とする場合について述べた（図９（Ｂ））。しかしながら本発明はこれに限らず、例えば取付間隔ＬＡ、ＬＢ及びＬＣ同士の差分を１［ｍｍ］のように比較的小さな値とし、各被固定部５１Ｓにおける段差の間隔を３［ｍｍ］のようにこれよりも大きな値としても良い。第２の実施の形態についても同様である。
【０１３３】
さらに上述した第１の実施の形態においては、フロントガイド固定部５０に７個の被固定部５１Ｓ（５１Ｓ０〜５１Ｓ６）を設けて７段の段差を形成する場合について述べた（図７（Ｂ））。また第２の実施の形態においては、フロントガイド固定部１５０に４個の被固定部１５１Ｓ（１５１Ｓ０〜１５１Ｓ３）を設けて４段の段差を形成する場合について述べた。しかしながら本発明はこれに限らず、フロントガイド固定部５０等に任意数の被固定部５１Ｓ等を設けても良い。要は、取付部材２６における取付間隔の調整段階数（３段等）と当該被固定部５１Ｓ等の数に応じた段差の数（７段等）との組み合わせにより、フロントガイド２５を合わせたい取付位置の段階数（２１段階等）を実現できれば良い。
【０１３４】
さらに上述した第１の実施の形態においては、フロントガイド取付部３０によりフロントガイド２５を１［ｍｍ］刻みで２１段階の取付位置に調整する場合について述べた。しかしながら本発明はこれに限らず、例えば収納空間２０ＳＣ（図３）に収納する紙幣における短辺の長さが５［ｍｍ］刻みの離散的な値となる場合に、フロントガイド固定部５０の各被固定部５１Ｓにおける段差の間隔を適宜設定することにより、フロントガイド２５の取付位置を５［ｍｍ］刻みで調整するようにしても良い。要は、フロントガイド２５の取付位置については、任意の間隔で調整するようにしても良く、また等間隔で無くても良い。第２の実施の形態についても同様である。
【０１３５】
さらに上述した実施の形態においては、前扉２１に４箇所の前扉固定部４０を設けると共にフロントガイド２５に４箇所のフロントガイド固定部５０を設け、４個の取付部材２６を用いて当該前扉２１に対し当該フロントガイド２５を取り付ける場合について述べた（図４）。しかしながら本発明はこれに限らず、例えば３個以下や５個以上の取付部材２６を用いて当該前扉２１に対し当該フロントガイド２５を取り付けるようにしても良い。この場合、取付部材２６の個数に応じて、前扉２１における前扉固定部４０の数及びフロントガイド２５におけるフロントガイド固定部５０の数を増減させれば良い。第２の実施の形態についても同様である。
【０１３６】
さらに上述した第１の実施の形態においては、フロントガイド２５を１個の部品として構成する場合について述べた。しかしながら本発明はこれに限らず、例えば図１９に示すように、２本のフロントガイド８２５を左右に並べて前扉８２１に取り付けても良い。要は、フロントガイド２５を複数の部品により構成しても良い。この場合、各フロントガイド８２５を少なくとも一組のフロントガイド取付部３０により前扉８２１に取り付ければ良い。第２の実施の形態についても同様である。
【０１３７】
さらに上述した第１の実施の形態については、紙幣収納庫１６において収納空間２０ＳＣの前側を規定するフロントガイド２５を前扉２１に取り付ける際に本発明を適用する場合について述べた。しかしながら本発明はこれに限らず、例えば収納空間２０ＳＣの左右を規定するサイドガイド２７（図３）を筐体２０に取り付ける場合等、紙幣を収納する空間の大きさを規定する種々の部材を筐体等に取り付ける場合に本発明を適用しても良い。第２の実施の形態についても同様である。
【０１３８】
さらに上述した実施の形態においては、紙幣を収納する紙幣収納庫１６に本発明を適用する場合について述べた。しかしながら本発明はこれに限らず、例えばリジェクト庫１７や入出金部１２等、内部に紙幣を収納する収納空間を有し、収納する紙幣の大きさに合わせてこの収納空間の大きさを調整する様々な箇所に適用しても良い。
【０１３９】
さらに上述した第１の実施の形態においては、顧客との間で媒体としての紙幣に関する取引処理を行う現金自動預払機１の紙幣入出金機１０において、紙幣を収納する紙幣収納庫１６に本発明を適用する場合について述べた。しかしながら本発明はこれに限らず、例えば各種金券や証券等、或いは入場券や乗車券のような種々の紙葉状の媒体を取り扱う種々の装置において、この媒体を収納する様々な箇所に本発明を適用しても良い。第２の実施の形態についても同様である。
【０１４０】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１４１】
さらに上述した第１の実施の形態においては、基体としての前扉２１と、規定体としてのフロントガイド２５と、取付部材としての取付部材２６とにより媒体収納装置としての紙幣収納庫１６を構成し、当該取付部材を、基体固定部としての側面３２及び爪部３６と、規定体固定部としての側面３３及び爪部３７とによって構成する場合について述べた。しかしながら本発明はこれに限らず、その他種々の構成でなる基体と、規定体と、取付部材とにより媒体収納装置を構成し、当該取付部材を、基体固定部と、規定体固定部とによって構成しても良い。
【０１４２】
さらに上述した第１の実施の形態においては、搬送部としての搬送部１３と、媒体収納装置としての紙幣収納庫１６とにより媒体取引装置としての現金自動預払機１を構成し、
当該媒体収納装置を、基体としての前扉２１と、規定体としてのフロントガイド２５と、取付部材としての取付部材２６とにより構成し、さらに当該取付部材を、基体固定部としての側面３２及び爪部３６と、規定体固定部としての側面３３及び爪部３７とによって構成する場合について述べた。しかしながら本発明はこれに限らず、その他種々の構成でなる搬送部と、媒体収納装置とにより媒体取引装置を構成し、当該媒体収納装置を、その他種々の構成でなる基体と、規定体と、取付部材とにより構成し、さらに当該取付部材を、その他種々の構成でなる基体固定部と、規定体固定部とによって構成しても良い。
【産業上の利用可能性】
【０１４３】
本発明は、例えば顧客との間で紙幣に関する取引を行う現金自動預払機でも利用できる。
【符号の説明】
【０１４４】
１、１０１……現金自動預払機、１０、１１０……紙幣入出金機、１３……搬送部、１６、１１６……紙幣収納庫、１７……リジェクト庫、２０……筐体、２０Ｓ……内部空間、２０ＳＣ……収納空間、２１、１２１……前扉、２５、１２５……フロントガイド、２６……取付部材、３０、１３０……フロントガイド取付部、３１、１３１、１７１……本体部、３２、３２Ａ、３２Ｂ、３２Ｃ、３３、３３Ａ、３３Ｂ、３３Ｃ、１３２、１３２Ａ、１３２Ｂ、１３２Ｃ、１３３、１３３Ａ、１３３Ｂ、１３３Ｃ、１７２、１７２Ｄ、１７２Ｅ、１７２Ｆ、１７３、１７３Ｄ、１７３Ｅ、１７３Ｆ……側面、３６、３６Ａ、３６Ｂ、３６Ｃ、３７、３７Ａ、３７Ｂ、３７Ｃ、１３６、１３６Ａ、１３６Ｂ、１３６Ｃ、１３７、１３７Ａ、１３７Ｂ、１３７Ｃ、１７６、１７６Ｄ、１７６Ｅ、１７６Ｆ、１７７、１７７Ｄ、１７７Ｅ、１７７Ｆ……爪部、４０、１４０……前扉固定部、４１、１４１……台部、４１Ｓ、４１Ｓ０〜４１Ｓ６、５１Ｓ、５１Ｓ０〜５１Ｓ６、１４１Ｓ、１４１Ｓ０〜１４１Ｓ３、１５１Ｓ、１５１Ｓ０〜１５１Ｓ３……被固定部、４２Ｈ、４２Ｈ０〜４２Ｈ６、５２Ｈ、５２Ｈ０〜５２Ｈ６、１４２Ｈ、１４２Ｈ０〜１４２Ｈ３、１５２Ｈ、１５２Ｈ０〜１５２Ｈ３……固定孔、５０、１５０……フロントガイド固定部、１２６……第１取付部材、１６６……第２取付部材、ＬＡ、ＬＢ、ＬＣ、ＬＤ、ＬＥ、ＬＦ……取付間隔、ＬＳ……選択取付間隔、ＬＴ……段差間隔。
【図１】
0006459756.tif 000002
【図２】
0006459756.tif 000003
【図３】
0006459756.tif 000004
【図４】
0006459756.tif 000005
【図５】
0006459756.tif 000006
【図６】
0006459756.tif 000007
【図７】
0006459756.tif 000008
【図８】
0006459756.tif 000009
【図９】
0006459756.tif 000010
【図１０】
0006459756.tif 000011
【図１１】
0006459756.tif 000012
【図１２】
0006459756.tif 000013
【図１３】
0006459756.tif 000014
【図１４】
0006459756.tif 000015
【図１５】
0006459756.tif 000016
【図１６】
0006459756.tif 000017
【図１７】
0006459756.tif 000018
【図１８】
0006459756.tif 000019
【図１９】
0006459756.tif 000020